【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
ソーラーセル機器類のソーラー発電装置の上方に配置される表示板であって、
前記ソーラー発電装置の視認側に配置され、光透過性の下板部材と、
前記下板部材の視認側に、少なくとも一部が下板部材と離間するように配置された上板部材とを備え、
前記上板部材には、下板部材と離間した領域を含む少なくとも１つの開口部が形成されていることを特徴とする表示板。
【請求項２】
前記上板部材が、下板部材に対して傾斜するように配置されていることを特徴とする請求項１に記載の表示板。
【請求項３】
前記上板部材が、下板部材に対して、視認側に膨出する部分を有することを特徴とする請求項１から２のいずれかに記載の表示板。
【請求項４】
前記膨出部分が、上板部材の外周部分から、中心部分に向かってドーム形状に膨出するように形成されていることを特徴とする請求項３に記載の表示板。
【請求項５】
前記上板部材が、下板部材に立設した支柱部材によって、下板部材と一定間隔離間するように配置されていることを特徴とする請求項１から４のいずれかに記載の表示板。
【手続補正２】
【補正対象書類名】明細書
【補正対象項目名】０１０１
【補正方法】変更
【補正の内容】
【０１０１】
なお、ここで「光透過性」とは、ソーラー発電装置２２へ外光を透過させることができる性質を意味し、透明であることに限定されない。この意味を充足できる限り、「光透過性」とは、単一の材料から成るとは限らない。例えば、下板部材３２が光透過性である限り、下板部材３２の一部に金属のような光不透過性の材料が含まれても良い。
【手続補正３】
【補正対象書類名】明細書
【補正対象項目名】０１０２
【補正方法】変更
【補正の内容】
【０１０２】
また、上板部材３４に形成された開口部３６の形状、サイズ、個数、配置位置としては、特に限定されるものではなく、デザインなどに応じて、例えば、円形状、楕円形状、矩形状など様々な形状、サイズ、個数、配置位置を選択することができる。
【手続補正４】
【補正対象書類名】明細書
【補正対象項目名】０１２０
【補正方法】変更
【補正の内容】
【０１２０】
このように構成することによって、下板部材３２に立設した支柱部材５８によって、上板部材３４が、下板部材３２と一定間隔離間するので、上板部材３４に形成された開口部３６を介して、下板部材３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【手続補正５】
【補正対象書類名】明細書
【補正対象項目名】０１２４
【補正方法】変更
【補正の内容】
【０１２４】
さらに、図示しないが、後述する実施例３のように、上板部材３４の視認側に、表示リング部材６８を配置することもできる。
【手続補正６】
【補正対象書類名】明細書
【補正対象項目名】０１２８
【補正方法】変更
【補正の内容】
【０１２８】
このように、中心部分に向かってより大きく膨出する、いわゆるドーム形状とすることによって、図１１の矢印で示したように、傾斜した膨出部分に形成された開口部３６が傾斜した状態になっており、この開口部３６を介して、下板部材３２、すなわち、下板部材３２の下方に位置するソーラー発電装置２２に入射する採光面積(Ｌ３)が、開口部３６の面積(Ｌ４)よりもさらに大きくなり、発電効率がさらに向上する。
【手続補正７】
【補正対象書類名】明細書
【補正対象項目名】０１３５
【補正方法】変更
【補正の内容】
【０１３５】
このため、上板部材３４に形成された開口部３６を介して、下板部材３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【手続補正８】
【補正対象書類名】明細書
【補正対象項目名】０１３８
【補正方法】変更
【補正の内容】
【０１３８】
なお、この実施例の表示板２４では、上板部材３４と下板部材３２とが、上板部材３４の水平部分３４ａと下板部材３２の水平部分３２aにおいて、接合層を介して、固定したが、図示しないが、後述する実施例３のように、支柱部材５８の少なくとも一方の端部に、フランジ部分６４を形成するとともに、上板部材３４と下板部材３２の少なくとも一方にフランジ収容凹部６６を形成して、フランジ部分６４を、フランジ収容凹部６６に嵌合することによって、上板部材３４が、下板部材３２と一定間隔離間するように配置されていてもよい。
【手続補正９】
【補正対象書類名】明細書
【補正対象項目名】０１４２
【補正方法】変更
【補正の内容】
【０１４２】
（実施例３）
図１２は、本発明の表示板を、ソーラーセル（太陽電池）からなるソーラー発電装置を備えたソーラー腕時計に組み込んだ状態を説明する別の実施例のソーラー腕時計の正面図、図１３は、図１２のソーラー腕時計の断面図、図１４は、図１２のソーラー腕時計の表示板部分の正面図、図１５は、図１４のソーラー腕時計の表示板部分の斜視図、図１６は、図１４のソーラー腕時計の表示板部分の側面図、図１７は、図１４のソーラー腕時計の表示板の下板部材３２と上板部材３４との固定状態を説明する斜視図、図１８は、図１４のソーラー腕時計の表示板の下板部材３２と上板部材３４との固定状態を説明する分解斜視図、図１９は、図１４のソーラー腕時計の表示板の下板部材３２と上板部材３４との固定状態を説明する部分拡大断面図、図２０は、図１４のソーラー腕時計の表示板の下板部材３２と上板部材３４との固定状態を説明する部分拡大斜視図である。
【手続補正１０】
【補正対象書類名】明細書
【補正対象項目名】０１６０
【補正方法】変更
【補正の内容】
【０１６０】
【図１】図１は、本発明の表示板を、ソーラーセル（太陽電池）からなるソーラー発電装置を備えたソーラー腕時計に組み込んだ状態を説明するソーラー腕時計の正面図である。
【図２】図２は、図１のソーラー腕時計の断面図である。
【図３】図３は、図１のソーラー腕時計の表示板部分の正面図である。
【図４】図４は、図１のソーラー腕時計の表示板部分の斜視図である。
【図５】図５は、図１のソーラー腕時計の表示板部分の側面図である。
【図６】図６は、図１のソーラー腕時計の表示板部分の部分拡大断面図である。
【図７】図７は、本発明の表示板を、ソーラーセル（太陽電池）からなるソーラー発電装置を備えたソーラー腕時計に組み込んだ状態を説明する別の実施例のソーラー腕時計の正面図である。
【図８】図８は、図７のソーラー腕時計の断面図である。
【図９】図９は、図７のソーラー腕時計の表示板部分の正面図である。
【図１０】図１０は、図７のソーラー腕時計の表示板部分の斜視図である。
【図１１】図１１は、図７のソーラー腕時計の表示板部分の部分拡大断面図である。
【図１２】図１２は、本発明の表示板を、ソーラーセル（太陽電池）からなるソーラー発電装置を備えたソーラー腕時計に組み込んだ状態を説明する別の実施例のソーラー腕時計の正面図である。
【図１３】図１３は、図１２のソーラー腕時計の断面図である。
【図１４】図１４は、図１２のソーラー腕時計の表示板部分の正面図である。
【図１５】図１５は、図１４のソーラー腕時計の表示板部分の斜視図である。
【図１６】図１６は、図１４のソーラー腕時計の表示板部分の側面図である。
【図１７】図１７は、図１４のソーラー腕時計の表示板の下板部材３２と上板部材３４との固定状態を説明する斜視図である。
【図１８】図１８は、図１４のソーラー腕時計の表示板の下板部材３２と上板部材３４との固定状態を説明する分解斜視図である。
【図１９】図１９は、図１４のソーラー腕時計の表示板の下板部材３２と上板部材３４との固定状態を説明する部分拡大断面図である。
【図２０】図２０は、図１４のソーラー腕時計の表示板の下板部材３２と上板部材３４との固定状態を説明する部分拡大斜視図である。
【図２１】図２１は、従来のソーラー腕時計の表示板部分の部分拡大断面図部分拡大断面図である。
【手続補正１１】
【補正対象書類名】図面
【補正対象項目名】図１４
【補正方法】変更
【補正の内容】
【図１４】
2009250673.tif 000001
【手続補正１２】
【補正対象書類名】図面
【補正対象項目名】図１６
【補正方法】変更
【補正の内容】
【図１６】
2009250673.tif 000002